Podtech/llm-jp-corpus-v4-ja_patent huggingface dataset:
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
１以上のコンプスタチン類似体部分、およびクリアランス低減部分(ＣＲＭ)として約１０キロダルトン(kD)〜約４５kDの分子量を有するポリマーを含む長時間作用型コンプスタチン類似体(ＬＡＣＡ)を含む補体介在障害の処置のための医薬組成物であって、ＬＡＣＡを約９０mg／日〜約３６０mg／日、場合により約１８０mg／日〜約２７０mg／日の用量で皮下投与するためのものである、医薬組成物。
【請求項２】
１以上のコンプスタチン類似体部分、およびクリアランス低減部分(ＣＲＭ)として約１０キロダルトン(kD)〜約４５kDの分子量を有するポリマーを含む長時間作用型コンプスタチン類似体(ＬＡＣＡ)を含む補体介在眼障害の処置のための医薬組成物であって、ＬＡＣＡを約１０mg〜約２０mg、場合により約１５mgの用量で硝子体内投与するためのものである、医薬組成物。
【請求項３】
１日あたり１回または２回皮下投与される、請求項１に記載の医薬組成物。
【請求項４】
毎月または隔月硝子体内投与される、請求項２に記載の医薬組成物。
【請求項５】
ＬＡＣＡが２個のコンプスタチン類似体部分に結合したクリアランス低減部分を含み、ここで、
各コンプスタチン類似体部分がリシン残基またはＣ末端、Ｎ末端もしくは両端にリシン残基を含む配列により伸長している環状ペプチドを含み、ここで前記リシン残基は、オリゴ(エチレングリコール)部分を含む堅いスペーサーまたは柔軟なスペーサーによりペプチドの環状部分と分離され；
クリアランス低減部分が、各端がカルバメートまたはアミドによりコンプスタチン類似体部分の一方に結合しているポリマーを含み；そして、
スペーサーが８−アミノ−３,６−ジオキサオクタン酸(ＡＥＥＡｃ)または１１−アミノ−３,６,９−トリオキサウンデカン酸を含む、
請求項１〜４のいずれか一項に記載の医薬組成物。
【請求項６】
環状ペプチドが配列番号３〜３６、３７Ａ、３８Ａ、３９Ａまたは４０Ａに示されるアミノ酸配列を含む、請求項５に記載の医薬組成物。
【請求項７】
ポリマーがポリエチレングリコール(ＰＥＧ)またはポリオキサゾリン(ＰＯＺ)である、場合によりポリマーが約４０kDの平均分子量を有するＰＥＧである、請求項５または６に記載の医薬組成物。
【請求項８】
障害が赤血球への補体介在損傷をもたらすものであり、場合により障害が発作性夜間ヘモグロビン尿症である、請求項１に記載の医薬組成物。
【請求項９】
補体介在眼障害が加齢黄斑変性症(ＡＭＤ)、場合により地図状萎縮または中間型ＡＭＤである、請求項２に記載の医薬組成物。
【請求項１０】
約１０キロダルトン(kD)〜約４５kDの分子量を有するポリマーを含むＬＡＣＡの単位用量であって、
ｉ)前記単位用量が硝子体内投与のためのものであり、前記単位用量の量が約１０mg〜約２０mg、場合により約１５mgである；または
ｉｉ)前記単位用量の量が約４５mg〜約３６０mg、場合により約１８０mg〜約２７０mgである、
単位用量。
【請求項１１】
ＬＡＣＡが２個のコンプスタチン類似体部分に結合したクリアランス低減部分を含み、ここで、
各コンプスタチン類似体部分がリシン残基またはＣ末端、Ｎ末端もしくは両端にリシン残基を含む配列により伸長している環状ペプチドを含み、ここで前記リシン残基は、オリゴ(エチレングリコール)部分を含む堅いスペーサーまたは柔軟なスペーサーによりペプチドの環状部分と分離され；
クリアランス低減部分が、各端がカルバメートまたはアミドによりコンプスタチン類似体部分の一方に結合しているポリマーを含み；
スペーサーが８−アミノ−３,６−ジオキサオクタン酸(ＡＥＥＡｃ)または１１−アミノ−３,６,９−トリオキサウンデカン酸を含み；そして、
場合により、環状ペプチドが配列番号３〜３６、３７Ａ、３８Ａ、３９Ａまたは４０Ａに示されるアミノ酸配列を含む、
請求項１０に記載の単位用量。
【請求項１２】
薬学的に許容される担体をさらに含む、請求項１０または１１に記載の単位用量。
【請求項１３】
請求項１０〜１２のいずれか一項に記載の単位用量を含む、シリンジまたは容器。
【請求項１４】
２７ゲージ針を用いて、または場合により２５ゲージ針を用いて、または場合により２６ゲージ針を用いて、または場合により２８ゲージ針を用いて、または場合により２９ゲージ針を用いて投与されるように製剤化された、請求項１〜９のいずれか一項に記載の医薬組成物。
【請求項１５】
針が薄壁針である、請求項１４に記載の医薬組成物。
【請求項１６】
ＬＡＣＡが図１０(Ｃ)に示される化合物を含む、請求項１〜９もしくは１４〜１５のいずれか一項に記載の医薬組成物または請求項１１〜１４のいずれか一項に記載の単位用量。
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
装置であって：
選択形状に形成される外周膜と、
前記外周膜内の可撓性ブラダーと、
前記可撓性ブラダー内の浮揚性ガスの容積を測定するように構成される監視システムと、
前記可撓性ブラダー内の浮揚性ガスの前記容積を、前記測定容積に基づいて調整するように構成される制御回路と、を備え、
前記装置は、前記可撓性ブラダー内の浮揚性ガスの量に基づいて選択される高度で浮遊するように操作することができる装置。
【請求項２】
前記監視システムは、前記可撓性ブラダー内の浮揚性ガスの前記容積により角度変位するように構成される少なくとも１つのレバーアームを含む請求項１に記載の装置。
【請求項３】
前記監視システムは、前記可撓性ブラダーの少なくとも一部の位置を測定するように構成される光測距システムを含む請求項１に記載の装置。
【請求項４】
前記光測距システムはレーザ測距システムである請求項３に記載の装置。
【請求項５】
前記光測距システムは、カメラを利用した測距システムである請求項３に記載の装置。
【手続補正書】
【提出日】平成31年3月13日(2019.3.13)
【手続補正１】
【補正対象書類名】特許請求の範囲
【補正対象項目名】全文
【補正方法】変更
【補正の内容】
【特許請求の範囲】
【請求項１】
カンファレンス中のオーディオを管理するための方法であって、
モバイルデバイスの第1のバッファにおいて、前記カンファレンスの第1の参加者に関連付けられた第1のデバイスから第1のオーディオストリームを受信するステップと、
前記モバイルデバイスの第2のバッファにおいて、前記カンファレンスの第2の参加者に関連付けられた第2のデバイスから第2のオーディオストリームを受信するステップと、
前記モバイルデバイスの遅延コントローラにおいて制御信号を生成するステップであって、前記制御信号が、前記第1のバッファおよび前記第2のバッファに供給され、前記第1のバッファから出力される第1のバッファリング済みオーディオが、前記第2のバッファから出力される第2のバッファリング済みオーディオと同期される、ステップと
を含む、方法。
【請求項２】
前記モバイルデバイスにおいて、前記第1のオーディオストリームの第1のタイムスタンプを前記第2のオーディオストリームの第2のタイムスタンプと比較するステップであって、前記第1のタイムスタンプおよび前記第2のタイムスタンプが共通クロックソースに基づく、ステップと、
前記モバイルデバイスにおいて、前記第1のタイムスタンプと前記第2のタイムスタンプとの間の時間差を決定するステップと
をさらに含む、請求項1に記載の方法。
【請求項３】
前記第1のタイムスタンプが前記第2のタイムスタンプよりも早い時刻を示す場合、前記制御信号が、前記第1のバッファリング済みオーディオの出力を前記時間差だけ遅延するように前記第1のバッファに指示する、または、
前記第2のタイムスタンプが前記第1のタイムスタンプよりも早い時刻を示す場合、前記制御信号が、前記第2のバッファリング済みオーディオの出力を前記時間差だけ遅延するように前記第2のバッファに指示する、請求項2に記載の方法。
【請求項４】
前記モバイルデバイスの第1のデコーダにおいて、前記第1のバッファリング済みオーディオを復号化して、第1の復号化オーディオを生成するステップと、
前記モバイルデバイスの第2のデコーダにおいて、前記第2のバッファリング済みオーディオを復号化して、第2の復号化オーディオを生成するステップと
を含む、請求項1に記載の方法。
【請求項５】
前記モバイルデバイスにおいて、前記第1の復号化オーディオに対する第1の空間ステアリング演算を実施して、前記第1の復号化オーディオをスピーカから第1の角度に投射するステップと、
前記モバイルデバイスにおいて、前記第2の復号化オーディオに対する第2の空間ステアリング演算を実施して、前記第2の復号化オーディオを前記スピーカから第2の角度に投射するステップと
をさらに含む、請求項4に記載の方法。
【請求項６】
前記第1の空間ステアリング演算を実施する前記ステップが、前記第1の復号化オーディオに第1の頭部伝達関数(HRTF)を適用するステップを含み、前記第2の空間ステアリング演算を実施する前記ステップが、前記第2の復号化オーディオに第2のHRTFを適用するステップを含む、請求項5に記載の方法。
【請求項７】
前記第1の角度および前記第2の角度が、ユーザ定義の設定に基づく、請求項5に記載の方法。
【請求項８】
モバイルデバイスのユーザに関連する頭部移動を検出したことに応答して、前記第1の角度および前記第2の角度をシフト量だけシフトするステップをさらに含む、請求項7に記載の方法。
【請求項９】
前記第1の復号化オーディオの第1の利得を調整するステップと、
前記第2の復号化オーディオの第2の利得を調整するステップと
をさらに含み、
前記第1の利得および前記第2の利得が、ユーザ定義の設定に基づいて調整される、請求項4に記載の方法。
【請求項１０】
前記第1のオーディオストリームが、ネットワークデバイスを介して前記第1のデバイスから前記第1のバッファに経路指定され、前記第2のオーディオストリームが、前記ネットワークデバイスを介して前記第2のデバイスから前記第2のバッファに経路指定される、請求項1に記載の方法。
【請求項１１】
前記ネットワークデバイスに第1の信号を供給して、前記第1のオーディオストリームの第1のビットレートを調整するステップと、
前記ネットワークデバイスに第2の信号を供給して、前記第2のオーディオストリームの第2のビットレートを調整するステップと
をさらに含む、請求項10に記載の方法。
【請求項１２】
前記第1のビットレートおよび前記第2のビットレートが、ユーザ定義の設定、前記モバイルデバイスのハードウェア能力、またはそれらの組合せに基づいて調整される、請求項11に記載の方法。
【請求項１３】
前記モバイルデバイス、前記第1のデバイス、および前記第2のデバイスがそれぞれ、Third Generation Partnership Project(3GPP)規格と互換性のあるユーザ機器(UE)を含む、または、
前記第1のオーディオストリームが、前記モバイルデバイスのアンテナを介して受信される、または、
前記第1のバッファ、前記第2のバッファ、および遅延コントローラが、前記モバイルデバイスのモデム内に含まれる、または、
前記第1のバッファが第1のデジッタバッファを含み、前記第2のバッファが第2のデジッタバッファを含む、請求項1に記載の方法。
【請求項１４】
カンファレンス中のオーディオを管理するためのモバイルデバイスであって、
カンファレンスの第1の参加者に関連付けられた第1のデバイスから第1のオーディオストリームを受信するように構成された第1のバッファと、
前記カンファレンスの第2の参加者に関連付けられた第2のデバイスから第2のオーディオストリームを受信するように構成された第2のバッファと、
制御信号を生成するように構成された遅延コントローラであって、前記制御信号が、前記第1のバッファおよび前記第2のバッファに供給され、前記第1のバッファから出力される第1のバッファリング済みオーディオが、前記第2のバッファから出力される第2のバッファリング済みオーディオと同期される、遅延コントローラと
を備える、モバイルデバイス。
【請求項１５】
カンファレンス中のオーディオを管理するための命令を含むコンピュータ可読記憶媒体であって、前記命令が、モバイルデバイス内のプロセッサによって実行されるとき、前記プロセッサに、
第1のバッファにおいて、前記カンファレンスの第1の参加者に関連付けられた第1のデバイスから第1のオーディオストリームを受信すること、
第2のバッファにおいて、前記カンファレンスの第2の参加者に関連付けられた第2のデバイスから第2のオーディオストリームを受信すること、および
遅延コントローラにおいて制御信号を生成することであって、前記制御信号が、前記第1のバッファおよび前記第2のバッファに供給され、前記第1のバッファから出力される第1のバッファリング済みオーディオが、前記第2のバッファから出力される第2のバッファリング済みオーディオと同期される、生成すること
を含む動作を実施させる、コンピュータ可読記憶媒体。
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
インスリンからＡ１／Ｂ１／Ｂ２９トリフェニル酢酸保護基を除去して遊離のインスリンを生成することができる操作されたペニシリンＧアシラーゼであって、前記操作されたペニシリンＧアシラーゼは、配列番号１２と少なくとも８５％、９０％、９１％、９２％、９３％、９４％、９５％、９６％、９７％、９８％、９９％またはそれを超えて同一である、操作されたペニシリンＧアシラーゼ。
【請求項２】
インスリンからＡ１／Ｂ１／Ｂ２９トリフェニル酢酸保護基を除去して遊離のインスリンを生成することができる操作されたペニシリンＧアシラーゼであって、前記操作されたペニシリンＧアシラーゼは、配列番号２、４、６、８、および／または１０と少なくとも８５％、９０％、９１％、９２％、９３％、９４％、９５％、９６％、９７％、９８％、９９％またはそれを超えて同一である、操作されたペニシリンＧアシラーゼ。
【請求項３】
表５．１、表６．２、および／または表６．３において提供される変異を少なくとも１つ含む、請求項１または２に記載の操作されたペニシリンＧアシラーゼ。
【請求項４】
配列番号１２を含む、請求項１に記載の操作されたペニシリンＧアシラーゼ。
【請求項５】
配列番号４、６、８、または１０を含む、請求項２に記載の操作されたペニシリンＧアシラーゼ。
【請求項６】
配列番号１１から選択されるポリヌクレオチド配列によってコードされる、請求項１に記載の操作されたペニシリンＧアシラーゼ。
【請求項７】
配列番号３、５、７、および９から選択されるポリヌクレオチド配列によってコードされる、請求項２に記載の操作されたペニシリンＧアシラーゼ。
【請求項８】
請求項６または７に記載のポリヌクレオチド配列を含むベクター。
【請求項９】
請求項８に記載のベクターを含む宿主細胞。
【請求項１０】
遊離のインスリンを生成するための方法であって、ｉ）請求項１または２に記載の操作されたペニシリンＧアシラーゼ、およびＡ１／Ｂ１／Ｂ２９トリフェニル酢酸保護基を含むインスリンを提供すること、ならびにｉｉ）前記操作されたペニシリンＧアシラーゼによりＡ１／Ｂ１／Ｂ２９トリフェニル酢酸保護基が除去され、遊離のインスリンが生成する条件下で、前記操作されたペニシリンＧアシラーゼを、前記Ａ１／Ｂ１／Ｂ２９トリフェニル酢酸保護基を含むインスリンに曝露することを含む、方法。
【請求項１１】
前記操作されたペニシリンＧアシラーゼが、９０％超、９１％超、９２％超、９３％超、９４％超、９５％超、９６％超、９７％超、９８％超、９９％超またはそれを超える遊離のインスリンを生成する、請求項１０に記載の方法。
【請求項１２】
前記ペニシリンＧアシラーゼが、配列番号１２を含む、請求項１０または１１に記載の方法。
【請求項１３】
前記ペニシリンＧアシラーゼが、配列番号４、６、８、または１０を含む、請求項１０または１１に記載の方法。
【請求項１４】
請求項１０〜１３のいずれかに記載の方法に従って生成した遊離のインスリンを含む組成物。
【手続補正２】
【補正対象書類名】明細書
【補正対象項目名】０００９
【補正方法】変更
【補正の内容】
【０００９】
本発明は、遊離のインスリンを生成するための方法であって、ｉ）本明細書に提示される少なくとも１つの操作されたペニシリンＧアシラーゼ、およびＡ１／Ｂ１／Ｂ２９トリフェニル酢酸保護基を含むインスリンを提供すること；ならびにｉｉ）操作されたペニシリンＧアシラーゼによりＡ１／Ｂ１／Ｂ２９トリフェニル酢酸保護基が除去され、遊離のインスリンが生成する条件下で、操作されたペニシリンＧアシラーゼを、Ａ１／Ｂ１／Ｂ２９トリフェニル酢酸保護基を含むインスリンに曝露することを含む方法も提供する。方法のいくつかの実施形態では、ペニシリンＧアシラーゼは、配列番号２、４、６、８、１０、および／または１２と少なくとも約８５％、約８６％、約８７％、約８８％、約８９％、約９０％、約９１％、約９２％、約９３％、約９４％、約９５％、約９６％、約９７％、約９８％、約９９％、またはそれを超えて同一である。方法のいくつかの実施形態では、ペニシリンＧアシラーゼは、配列番号２、４、６、８、１０、および／または１２と少なくとも８５％、８６％、８７％、８８％、８９％、９０％、９１％、９２％、９３％、９４％、９５％、９６％、９７％、９８％、９９％、またはそれを超えて同一である。方法のいくつかのさらなる実施形態では、ペニシリンＧアシラーゼは、配列番号２、４、６、８、１０、および／または１２を含む。いくつかの実施形態では、操作されたペニシリンＧアシラーゼは、９０％超、９１％超、９２％超、９３％超、９４％超、９５％超、９６％超、９７％超、９８％超、９９％超またはそれを超える遊離のインスリンを生成する。本発明は、本明細書に提示される方法（複数可）に従って生成した遊離のインスリンを含む組成物も提供する。
本発明は、例えば、以下の項目も提供する。
（項目１）
インスリンからＡ１／Ｂ１／Ｂ２９トリフェニル酢酸保護基を除去して遊離のインスリンを生成することができる操作されたペニシリンＧアシラーゼであって、前記操作されたペニシリンＧアシラーゼは、配列番号２、４、６、８、１０、および／または１２と少なくとも８５％、９０％、９１％、９２％、９３％、９４％、９５％、９６％、９７％、９８％、９９％またはそれを超えて同一である、ペニシリンＧアシラーゼ。
（項目２）
表５．１、表６．２、および／または表６．３において提供される変異を少なくとも１つ含む、項目１に記載の操作されたペニシリンＧアシラーゼ。
（項目３）
配列番号４、６、８、１０、または１２を含む、項目１に記載の操作されたペニシリンＧアシラーゼ。
（項目４）
配列番号３、５、７、９、および１１から選択されるポリヌクレオチド配列によってコードされる、項目１に記載の操作されたペニシリンＧアシラーゼ。
（項目５）
項目４に記載のポリヌクレオチド配列を含むベクター。
（項目６）
項目５に記載のベクターを含む宿主細胞。
（項目７）
遊離のインスリンを生成するための方法であって、ｉ）項目１に記載の操作されたペニシリンＧアシラーゼ、およびＡ１／Ｂ１／Ｂ２９トリフェニル酢酸保護基を含むインスリンを提供すること、ならびにｉｉ）前記操作されたペニシリンＧアシラーゼによりＡ１／Ｂ１／Ｂ２９トリフェニル酢酸保護基が除去され、遊離のインスリンが生成する条件下で、前記操作されたペニシリンＧアシラーゼを、前記Ａ１／Ｂ１／Ｂ２９トリフェニル酢酸保護基を含むインスリンに曝露することを含む、方法。
（項目８）
前記操作されたペニシリンＧアシラーゼが、９０％超、９１％超、９２％超、９３％超、９４％超、９５％超、９６％超、９７％超、９８％超、９９％超またはそれを超える遊離のインスリンを生成する、項目７に記載の方法。
（項目９）
前記ペニシリンＧアシラーゼが、配列番号４、６、８、１０、または１２を含む、項目７および／または８に記載の方法。
（項目１０）
項目７〜９のいずれかに記載の方法に従って生成した遊離のインスリンを含む組成物。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
第１部材（３０−１）と、
前記第１部材に少なくとも１つのブリッジ構成要素（４０）を介してヒンジ結合された第２部材（３０−２）と、を備える電気信号の搬送用の装置であって、
前記少なくとも１つのブリッジ構成要素（４０）は、前記第１部材（３０−１）と前記第２部材（３０−２）との間の間隙に自身の一部が架かるように構成されることで前記第１部材（３０−１）と前記第２部材（３０−２）との間に電磁結合を提供するように配置されており、
前記ブリッジ構成要素は、前記第１部材（３０−１）と前記第２部材（３０−２）との間の前記電磁結合を維持しながら前記第１部材（３０−１）および前記第２部材（３０−２）の少なくとも１つに対して自由に摺動するように構成されており、
前記第１部材（３０−１）および前記第２部材（３０−２）が折り畳まれた状態と折り畳まれていない状態との間で移動可能になるように前記第１部材（３０−１）と前記第２部材（３０−２）との間の前記間隙に架かる部分の前記ブリッジ構成要素の長さが可変である、装置。
【請求項２】
前記少なくとも１つのブリッジ構成要素は、記第１部材および前記第２部材に取り付けられている間は前記第１部材および前記第２部材の双方に対して移動可能に配置される、請求項１に記載の装置。
【請求項３】
少なくとも１つのガイドアセンブリを前記第１部材および前記第２部材の少なくとも１つに備え、前記ガイドアセンブリは前記少なくとも１つのブリッジ構成要素が前記ガイドアセンブリの範囲内で摺動するように配置される、請求項１または２に記載の装置。
【請求項４】
前記ガイドアセンブリは、前記少なくとも１つのブリッジ構成要素の移動範囲を制限するように配置され、好ましくは、前記ガイドアセンブリは前記少なくとも１つのブリッジ構成要素の移動範囲を制限する手段を備える、請求項３に記載の装置。
【請求項５】
前記少なくとも１つのガイドアセンブリは、前記ガイドアセンブリ内に前記少なくとも１つのブリッジ構成要素を留めるように配置されたカバーを備える、請求項３または４に記載の装置。
【請求項６】
前記少なくとも１つのブリッジ構成要素は、好ましくは前記第１部材と前記第２部材との間の角度が約１５度未満である折り畳まれた状態と、好ましくは前記第１部材と前記第２部材との間の角度が約９０度と約１８０度の間である折り畳まれていない状態との間を移動可能であるように十分に可撓性である、請求項１〜５のいずれかに記載の装置。
【請求項７】
前記少なくとも１つのブリッジ構成要素は、ヒンジ結合された前記第１部材および前記第２部材が折り畳まれた状態から折り畳まれていない状態に離間するようにバイアスされて配置され、オプション的には前記少なくとも１つのブリッジ構成要素は、前記第１部材および前記第２部材が共に折り畳まれる際には、前記少なくとも１つブリッジ構成要素が応力下に配置されるように弾性変形可能である、請求項１〜６のいずれかに記載の装置。
【請求項８】
前記第１部材と前記第２部材との間に電磁結合を提供するように配置された更なるブリッジ構成要素を備え、前記少なくとも１つのブリッジ構成要素（第１ブリッジ構成要素）はヒンジ結合された前記第１部材および前記第２部材のそれぞれの第１表面に配置され、前記更なるブリッジ構成要素（第２ブリッジ構成要素）はヒンジ結合された前記第１部材および前記第２部材のそれぞれの第２表面に配置される、請求項１〜７のいずれかに記載の装置。
【請求項９】
前記第２ブリッジ構成要素は前記第１部材と前記第２部材との間の電磁結合を維持しながら前記第１部材および前記第２部材の少なくとも１つに対して移動可能に構成されており、前記第１部材および前記第２部材が折り畳まれた状態と折り畳まれていない状態との間で移動可能になるように前記第１部材と前記第２部材との間の前記間隙に架かる部分の前記第２ブリッジ構成要素の長さが可変である、請求項８に記載の装置。
【請求項１０】
前記第２表面に配置された前記第２ブリッジ構成要素は、前記第１表面に配置された前記第１ブリッジ構成要素に対して反対面側において、前記第１部材および前記第２部材の少なくとも１つに対して移動可能に構成されている、請求項９に記載の装置。
【請求項１１】
前記第２ブリッジ構成要素は、グランドプレーンとして作用するように構成されており、オプション的には、前記第２ブリッジ構成要素は前記第１ブリッジ構成要素よりも広い、請求項１０に記載の装置。
【請求項１２】
請求項１〜１１のいずれかに記載の装置を備える展開可能無線周波数ＲＦ伝送線路。
【請求項１３】
折り畳まれた状態と折り畳まれていない状態との間で展開するために相互にヒンジ結合された少なくとも２つの部材と、
少なくとも２つのヒンジ結合された部材の間で無線周波数エネルギーを伝送するための無線周波数結合を提供するように各内部部材間接合部に配置された少なくとも１つのブリッジ構成要素と、を備える展開可能無線周波数ＲＦ伝送線路。
【請求項１４】
請求項１２または１３に記載の展開可能無線周波数ＲＦ伝送線路を備える、衛星用アンテナ。
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
遺伝子操作された非植物細胞内で（Ｓ）−１−ベンジルイソキノリンアルカロイドを少なくとも１つの酵素と接触させる工程であって、前記遺伝子操作された非植物細胞内で前記（Ｓ）−１−ベンジルイソキノリンアルカロイドを（Ｒ）−１−ベンジルイソキノリンアルカロイドに変換する、前記工程
を含む、前記遺伝子操作された非植物細胞内で前記（Ｓ）−１−ベンジルイソキノリンアルカロイドを（Ｒ）−１−ベンジルイソキノリンアルカロイドにエピマー化する方法。
【請求項２】
前記少なくとも１つの酵素が、前記遺伝子操作された非植物細胞を培養することにより産生される、請求項１に記載の方法。
【請求項３】
（Ｓ）−１−ベンジルイソキノリンアルカロイドを細胞培養物に加える工程
をさらに含む、請求項２に記載の方法。
【請求項４】
前記（Ｒ）−１−ベンジルイソキノリンアルカロイドまたはその誘導体を前記細胞培養物から回収する工程
をさらに含む、請求項３に記載の方法。
【請求項５】
前記少なくとも１つの酵素がオキシダーゼを含む、請求項１〜４のいずれか一項に記載の方法。
【請求項６】
前記少なくとも１つの酵素がレダクターゼを含む、請求項１〜５のいずれか一項に記載の方法。
【請求項７】
前記少なくとも１つの酵素がエピメラーゼを含む、請求項１〜６のいずれか一項に記載の方法。
【請求項８】
前記エピメラーゼが、ＳＥＱ  ＩＤ  ＮＯ：  １、２、３、４、５、６、７、８、９、１０、１１、１２、１３、１４、及び１５からなる群より選択されるアミノ酸配列に対する少なくとも８０％の配列同一性を有するアミノ酸配列を含む、請求項７に記載の方法。
【請求項９】
前記エピメラーゼが、オキシダーゼドメイン及びレダクターゼドメインを含む、請求項７または８に記載の方法。
【請求項１０】
前記オキシダーゼドメインがシトクロムＰ４５０オキシダーゼ様ドメインである、請求項９に記載の方法。
【請求項１１】
前記レダクターゼドメインがコデイノンレダクターゼ様ドメインである、請求項９に記載の方法。
【請求項１２】
前記遺伝子操作された非植物細胞が、遺伝子操作された酵母細胞である、請求項７〜１１のいずれか一項に記載の方法。
【請求項１３】
前記（Ｓ）−１−ベンジルイソキノリンアルカロイドが（Ｓ）−レチクリンである、請求項１〜１２のいずれか一項に記載の方法。
【請求項１４】
前記（Ｒ）−１−ベンジルイソキノリンアルカロイドが（Ｒ）−レチクリンである、請求項１〜１３のいずれか一項に記載の方法。
【請求項１５】
前記（Ｓ）−１−ベンジルイソキノリンアルカロイドが、Ｌ−チロシンから始まる代謝経路により、前記遺伝子操作された非植物細胞内で産生される、請求項１〜１４のいずれか一項に記載の方法。
【請求項１６】
前記エピメラーゼが融合エピメラーゼである、請求項７に記載の方法。
【請求項１７】
前記エピメラーゼが分割エピメラーゼである、請求項７に記載の方法。
【手続補正２】
【補正対象書類名】明細書
【補正対象項目名】００１２
【補正方法】変更
【補正の内容】
【００１２】
[本発明1001]
（Ｓ）−1−ベンジルイソキノリンアルカロイドを少なくとも1つの酵素と接触させる工程であって、前記（Ｓ）−1−ベンジルイソキノリンアルカロイドを（Ｒ）−1−ベンジルイソキノリンアルカロイドに変換する、前記工程
を含む、前記（Ｓ）−1−ベンジルイソキノリンアルカロイドを（Ｒ）−1−ベンジルイソキノリンアルカロイドにエピマー化する方法。
[本発明1002]
前記少なくとも1つの酵素が、前記少なくとも1つの酵素をコードするためのコード配列を有する遺伝子操作された非植物細胞を培養することにより産生される、本発明1001の方法。
[本発明1003]
（Ｓ）−1−ベンジルイソキノリンアルカロイドを細胞培養物に加える工程
をさらに含む、本発明1002の方法。
[本発明1004]
前記（Ｒ）−1−ベンジルイソキノリンアルカロイドまたはその誘導体を前記細胞培養物から回収する工程
をさらに含む、本発明1003の方法。
[本発明1005]
前記少なくとも1つの酵素がオキシダーゼを含む、本発明1001〜1004のいずれかの方法。
[本発明1006]
前記少なくとも1つの酵素がレダクターゼを含む、本発明1001〜1005のいずれかの方法。
[本発明1007]
前記少なくとも1つの酵素がエピメラーゼを含む、本発明1001〜1006のいずれかの方法。
[本発明1008]
前記エピメラーゼが、ＳＥＱ  ＩＤ  ＮＯ：  1、2、3、4、5、6、7、8、9、10、11、12、13、14、及び15からなる群より選択されるアミノ酸配列を含む、本発明1007の方法。
[本発明1009]
前記エピメラーゼが、オキシダーゼドメイン及びレダクターゼドメインを含む、本発明1007または1008の方法。
[本発明1010]
前記オキシダーゼドメインがシトクロムＰ450オキシダーゼ様ドメインである、本発明1009の方法。
[本発明1011]
前記レダクターゼドメインがコデイノンレダクターゼ様ドメインである、本発明1009の方法。
[本発明1012]
前記遺伝子操作された非植物細胞が、遺伝子操作された酵母細胞である、本発明1007〜1011のいずれかの方法。
[本発明1013]
前記（Ｓ）−1−ベンジルイソキノリンアルカロイドが（Ｓ）−レチクリンである、本発明1001〜1012のいずれかの方法。
[本発明1014]
前記（Ｒ）−1−ベンジルイソキノリンアルカロイドが（Ｒ）−レチクリンである、本発明1001〜1013のいずれかの方法。
[本発明1015]
前記（Ｓ）−1−ベンジルイソキノリンアルカロイドが、Ｌ−チロシンから始まる代謝経路により、前記遺伝子操作された非植物細胞内で産生される、本発明1001〜1014のいずれかの方法。
参照による組込み
本明細書中で言及する全ての刊行物、特許、及び特許出願は、各個別の刊行物、特許または特許出願が具体的に及び個別に参照により組込まれると示されている場合と同じ程度に参照により本明細書に組込まれる。
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
配列番号４又は配列番号９のアミノ酸配列を含むキャプシドをコードする核酸を含む、アデノ随伴ウイルス（ＡＡＶ）ベクターであって、異種核酸配列を更に含む、ＡＡＶベクター。
【請求項２】
異種核酸配列が、宿主細胞におけるその発現を指令する調節配列に作動可能に連結される、請求項１のＡＡＶベクター。
【請求項３】
異種核酸配列に、１つ以上の逆位末端反復（ＩＴＲ）配列が隣接する、請求項１又は２のＡＡＶベクター。
【請求項４】
キャプシドが、配列番号５の核酸配列によってコードされる、請求項１〜３のいずれか１項のＡＡＶベクター。
【請求項５】
異種核酸配列が、メチルマロニルＣｏＡムターゼ酵素をコードする、請求項１〜４のいずれか１項のＡＡＶベクター。
【請求項６】
異種核酸配列が、神経成長因子（ＮＧＦ）シグナルペプチド及び副甲状腺ホルモン（ＰＴＨ）を含むポリペプチドをコードする、請求項１〜４のいずれか１項のＡＡＶベクター。
【請求項７】
ポリペプチドが、配列番号１及び配列番号２のアミノ酸配列を含む、請求項６のＡＡＶベクター。
【請求項８】
請求項１〜７のいずれか１項のＡＡＶベクター及び医薬的に許容可能な担体を含む、組成物。
【請求項９】
神経成長因子（ＮＧＦ）シグナルペプチド及び副甲状腺ホルモン（ＰＴＨ）を含むポリペプチド。
【請求項１０】
配列番号１及び配列番号２のアミノ酸配列を含む、請求項９のポリペプチド。
【請求項１１】
請求項９又は１０のポリペプチドをコードする核酸。
【請求項１２】
請求項１１の核酸を含むベクター。
【請求項１３】
核酸配列が、宿主細胞におけるその発現を指令する調節配列に作動可能に連結される、請求項１２のベクター。
【請求項１４】
ベクターがウイルスベクターである、請求項１２又は１３のベクター。
【請求項１５】
ウイルスベクターがアデノ随伴ウイルスベクターである、請求項１４のベクター。
【請求項１６】
アデノ随伴ウイルスベクターが、
（ｉ）配列番号４のアミノ酸配列を含むキャプシドタンパク質か、又は
（ｉｉ）配列番号５の核酸配列によってコードされるキャプシドタンパク質
をコードする核酸を含む、請求項１５のベクター。
【請求項１７】
アデノ随伴ウイルスベクターが、配列番号９のアミノ酸配列を含むキャプシドタンパク質をコードする核酸を含む、請求項１５のベクター。
【請求項１８】
請求項９又は１０のポリペプチドをコードする核酸配列に、１つ以上の逆位末端反復（ＩＴＲ）配列が隣接する、請求項１２〜１７のいずれか１項のベクター。
【請求項１９】
配列番号３の核酸配列を含む、請求項１２のベクター。
【請求項２０】
（ａ）請求項９若しくは１０のポリペプチド、（ｂ）請求項１１の核酸、又は（ｃ）請求項１２〜１９のいずれか１項のベクター、及び医薬的に許容可能な担体を含む、組成物。
【請求項２１】
哺乳動物の唾液腺への投与用に製剤化された、請求項１〜７及び１２〜１９のいずれか１項のベクターを含む、哺乳動物における副甲状腺機能低下症の治療剤。
【請求項２２】
請求項５のベクターを含む、哺乳動物におけるメチルマロン酸血症（ＭＭＡ）の治療剤。
【手続補正書】
【提出日】令和1年5月8日(2019.5.8)
【手続補正１】
【補正対象書類名】特許請求の範囲
【補正対象項目名】全文
【補正方法】変更
【補正の内容】
【特許請求の範囲】
【請求項１】
核酸増幅反応におけるサンプル阻害を排除するための水性組成物であって、
複数の酸化ジルコニウム粒子と、
０．００５％（質量／体積）以上の濃度の非イオン性界面活性剤と、
有機鉄キレート剤と、を含有し、
前記組成物は、約８．４５〜８．８５のｐＨを有し、
前記有機鉄キレート剤は、第二鉄に対し１０４．２以上の第１のアフィニティ定数と、マグネシウムに対し１０３．８未満の第２のアフィニティ定数と、を有し、前記第１のアフィニティ定数及び前記第２のアフィニティ定数は、２０°CにてｐＨ８．４５の脱イオン水中で測定される、水性組成物。
【請求項２】
前記複数の粒子が、１００ｎｍ以下の平均粒子径を有する、請求項１に記載の水性組成物。
【請求項３】
前記有機鉄キレート剤が複数のカルボキシレート基を含む、請求項１又は２に記載の水性組成物。
【請求項４】
第二鉄を更に含有する、請求項１〜３のいずれか一項に記載の水性組成物。
【請求項５】
ナノ粒子分散安定剤を更に含有する、請求項１〜４のいずれか一項に記載の水性組成物。
【請求項６】
前記非イオン性界面活性剤が、約１１〜約１６の親水性?親油性バランスを有する、請求項１〜５のいずれか一項に記載の水性組成物。
【請求項７】
ポリビニルピロリドンを更に含有する、請求項１〜６のいずれか一項に記載の水性組成物。
【請求項８】
指示染料を更に含有する、請求項１〜７のいずれか一項に記載の水性組成物。
【請求項９】
ａ）複数の酸化ジルコニウム粒子と、非イオン性界面活性剤と、エチレングリコール四酢酸（ＥＧＴＡ）の一価の塩と、を含み、約８．４５〜８．８５のｐＨを有する組成物を、対象とするサンプルと接触させて、水性混合物を形成する工程と、
ｂ）工程ａ）の水性混合物を熱による溶菌プロセスにかける工程と、
ｃ）工程ｂ）の後で、前記水性混合物の一部を核酸増幅プロセスにかける工程と、を含む、核酸増幅方法。
【請求項１０】
複数の酸化ジルコニウム粒子と、
非イオン性界面活性剤と、
有機鉄キレート剤と、を含有する、キットであって、
前記有機鉄キレート剤は、第二鉄に対し１０４．２以上の第１のアフィニティ定数と、マグネシウムに対し１０３．８未満の第２のアフィニティ定数と、を有し、前記第１のアフィニティ定数及び前記第２のアフィニティ定数は、２０°CにてｐＨ８．４５の脱イオン水中で測定される、キット。
【手続補正書】
【提出日】平成31年3月20日(2019.3.20)
【手続補正１】
【補正対象書類名】特許請求の範囲
【補正対象項目名】全文
【補正方法】変更
【補正の内容】
【特許請求の範囲】
【請求項１】
各々の増幅器が入力端子を有する複数の増幅器と、
各々の出力端子が2つ以上の増幅器出力に結合される複数の出力端子と、
前記複数の出力端子のうちの少なくとも2つを互いに選択的に結合するように構成されるカプラであって、前記複数の出力端子のうちの少なくとも2つを互いに結合するとき、前記カプラは、前記複数の出力端子のうちの第1の出力端子において受信された信号を増幅し、かつ前記増幅された信号を前記複数の出力端子のうちの第2の出力端子に供給するようにさらに構成される、カプラと
を備える、装置。
【請求項２】
前記カプラは、モード制御信号の第1の状態に基づいて前記複数の出力端子のうちの前記少なくとも2つを互いに結合するように構成され、前記カプラは、前記モード制御信号の第2の状態に基づいて前記複数の出力端子のうちの前記少なくとも2つを分離するように構成される、請求項1に記載の装置。
【請求項３】
前記カプラによって与えられるゲインは制御信号に基づく、請求項1に記載の装置。
【請求項４】
第1の出力端子が、第1の信号を受信するように構成され、第2の出力端子が、前記第1の信号を出力するように構成される、請求項1に記載の装置。
【請求項５】
前記第1の信号は較正信号である、請求項4に記載の装置。
【請求項６】
前記カプラは双方向増幅器を備える、請求項1に記載の装置。
【請求項７】
前記双方向増幅器は、前記装置の動作モードに基づいて構成される、請求項6に記載の装置。
【請求項８】
前記双方向増幅器は、前記複数の出力端子のうちの第1の出力端子から入力信号を受信し、かつ制御信号の第1の状態に基づいて前記複数の出力端子のうちの第2の出力端子を介して増幅された出力信号を生成するように構成され、前記双方向増幅器は、前記複数の出力端子のうちの前記第2の出力端子から前記入力信号を受信し、かつ前記制御信号の第2の状態に基づいて前記複数の出力端子のうちの前記第1の出力端子を介して増幅された出力信号を生成するように構成される、請求項6に記載の装置。
【請求項９】
入力端子の数は出力端子の数よりも多い、請求項1に記載の装置。
【請求項１０】
前記複数の増幅器は、前記装置の動作モードに基づいて非アクティブになるように構成される、請求項1に記載の装置。
【請求項１１】
前記複数の増幅器は、前記装置の動作モードに基づいて最小ゲイン構成として構成される、請求項1に記載の装置。
【請求項１２】
前記装置の動作モードに基づいてモード制御信号を生成するための制御ブロックをさらに備える、請求項1に記載の装置。
【請求項１３】
前記制御ブロックは、
前記装置が前記複数の増幅器を介して第1の信号を増幅するときに、前記モード制御信号を第1の状態に駆動し、
第2の信号が前記複数の出力端子のうちの第1の出力端子から前記複数の出力端子のうちの第2の出力端子に結合されるときに、前記モード制御信号を第2の状態に駆動する、
請求項12に記載の装置。
【請求項１４】
装置の動作モードを決定するステップと、
前記決定された動作モードに基づいて、前記装置の第1の出力端子を前記装置の第2の出力端子に結合するようにカプラを構成するステップと、
前記決定された動作モードに基づいて、複数の出力端子のうちの第1の出力端子において受信された信号を増幅し、かつ前記増幅された信号を前記複数の出力端子のうちの第2の出力端子に供給するようにカプラを構成するステップと
を含む、方法。
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
配列番号１７のアミノ酸配列を含む重鎖可変領域の配列、及び配列番号１８の軽鎖可変領域の配列を含む、モノクローナルＣ４．４ａ抗体。
【請求項２】
配列番号１９のアミノ酸配列を含む重鎖可変領域の配列、及び配列番号２０の軽鎖可変領域の配列を含む、モノクローナルＣ４．４ａ抗体。
【請求項３】
配列番号２３の重鎖ＣＤＲ１配列、配列番号２５の重鎖ＣＤＲ２配列、配列番号２７の重鎖ＣＤＲ３配列、配列番号３１の軽鎖ＣＤＲ１配列、配列番号３３の軽鎖ＣＤＲ２配列、及び配列番号３５の軽鎖ＣＤＲ３配列を含む、モノクローナルＣ４．４ａ抗体。
【請求項４】
配列番号３９の重鎖ＣＤＲ１配列、配列番号４１の重鎖ＣＤＲ２配列、配列番号４３の重鎖ＣＤＲ３配列、配列番号４７の軽鎖ＣＤＲ１配列、配列番号４９の軽鎖ＣＤＲ２配列、及び配列番号５１の軽鎖ＣＤＲ３配列を含む、モノクローナルＣ４．４ａ抗体。
【請求項５】
クローンＳ４２Ｈ９Ｌ５及びクローンＳ２０Ｈ１Ｌ１から成る群より選択される、モノクローナルＣ４．４ａ抗体。
【請求項６】
モノクローナル抗Ｃ４．４ａ抗体であって、クローンＳ４２Ｈ９Ｌ５及びクローンＳ２０Ｈ１Ｌ１から成る群より選択される抗体と同一のエピトープ特異性を有する抗体。
【請求項７】
配列番号１、配列番号２、配列番号３、配列番号４、少なくとも２０アミノ酸長のそれらの断片、配列番号１、配列番号２、配列番号３、若しくは配列番号４と少なくとも６０％同一であるペプチド、配列番号１、配列番号２、配列番号３、若しくは配列番号４の断片と少なくとも６０％同一であるペプチド、又はそれらの組合せを含む免疫原で宿主を免疫化することに由来する、モノクローナルＣ４．４ａ抗体。
【請求項８】
宿主がウサギ宿主である、請求項７に記載の抗体。
【請求項９】
宿主発現系において生成される、請求項１から８のいずれか一項に記載の抗体。
【請求項１０】
請求項１から９のいずれか一項に記載のＣ４．４ａ抗体をコードする、ｃＤＮＡ。
【請求項１１】
請求項１から９のいずれか一項に記載の抗体を発現させる、宿主細胞発現系。
【請求項１２】
宿主細胞がＨＥＫ２９３細胞である、請求項１１に記載の宿主細胞発現系。
【請求項１３】
請求項１から９のいずれか一項に記載のＣ４．４ａ抗体で標識され、任意選択的にホルマリン固定パラフィン包埋組織試料である、標識化組織試料。
【請求項１４】
請求項１から９のいずれか一項に記載のＣ４．４ａ抗体を含む、キット。
【請求項１５】
Ｃ４．４ａ抗体を可視化するための検出系を更に含む、請求項１４に記載のキット。
【請求項１６】
検出系が発色検出系又は蛍光検出系を含む、請求項１５に記載のキット。
【請求項１７】
Ｃ４．４ａを検出する方法であって、
ａ．試料を請求項１から９のいずれか一項に記載のＣ４．４ａ抗体と接触させること；及び
ｂ．抗体を可視化することを含み；
Ｃ４．４ａ抗体の検出が、Ｃ４．４ａの存在を示す、方法。
【請求項１８】
抗体を可視化する工程が、抗体を発色検出系又は蛍光検出系と接触させることを含む、請求項１７に記載の方法。
【請求項１９】
配列番号１、配列番号２、配列番号３、配列番号４、少なくとも２０アミノ酸長のそれらの断片を含むペプチド、配列番号１、配列番号２、配列番号３、若しくは配列番号４と少なくとも６０％同一であるペプチド、配列番号１、配列番号２、配列番号３、若しくは配列番号４の断片と少なくとも６０％同一であるペプチド、又はそれらの組合せで動物を免疫化することを含む、請求項１から９のいずれか一項に記載のＣ４．４ａ抗体を生成する方法。
【請求項２０】
Ｃ４．４ａ関連腫瘍を診断する方法であって、請求項１７又は１８に記載のＣ４．４ａを検出することを含み、Ｃ４．４ａの検出がＣ４．４ａ関連腫瘍を示す方法。
【請求項２１】
請求項１７又は１８に記載の方法により得られる、Ｃ４．４ａ抗体で標識された標識化組織試料。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
電圧制御発振器(VCO)用のバッファであって、
作動ペアの第1の補信号を受信するように構成される入力ノードを有する第1のインバータ段と、
前記作動ペアの第2の補信号を受信するように構成される入力ノードを有する第2のインバータ段と、
前記第1のインバータ段または前記第2のインバータ段のレプリカであるバイアス印加段であって、前記バイアス印加段の出力ノードが前記バイアス印加段の入力ノードに接続される、バイアス印加段と、
前記第1のインバータ段の前記入力ノードと前記バイアス印加段の前記入力ノードとの間に結合される第1のインピーダンスと、
前記第2のインバータ段の前記入力ノードと前記バイアス印加段の前記入力ノードとの間に結合される第2のインピーダンスと
を備える、バッファ。
【請求項２】
前記第1のインバータ段および前記第2のインバータ段に結合され、かつ前記バッファの出力信号を生成するように構成される交差結合されるトランジスタ段をさらに備える、請求項1に記載のバッファ。
【請求項３】
前記第1のインバータ段と前記交差結合されるトランジスタ段との間に結合される第3のインバータ段と、
前記第2のインバータ段と前記交差結合されるトランジスタ段との間に結合される第4のインバータ段と
をさらに備える、請求項2に記載のバッファ。
【請求項４】
前記第1のインバータ段の前記入力ノードに結合される第1の容量性要素と、
前記作動ペアがAC結合差動信号になるように前記第2のインバータ段の前記入力ノードに結合される第2の容量性要素と
をさらに備える、請求項1に記載のバッファ。
【請求項５】
前記第1のインバータ段の前記入力ノードと前記第1のインバータ段の前記出力ノードとの間に第1の抵抗要素が存在せず、
前記第2のインバータ段の前記入力ノードと前記第2のインバータ段の前記出力ノードとの間に第2の抵抗要素が存在しない、
請求項1に記載のバッファ。
【請求項６】
前記作動ペアは少なくとも8GHzの周波数で発振する、請求項1に記載のバッファ。
【請求項７】
前記バイアス印加段は、前記作動ペアのDCオフセットを前記バッファ用の2つの電源レールの中間のレベルにシフトするように構成され、
前記2つの電源レールは、前記第1のインバータ段および第2のインバータ段に電力を供給するように構成される、
請求項1に記載のバッファ。
【請求項８】
前記作動ペアが、プロセス、電圧、および温度ばらつき全体にわたって10GHzの周波数で発振するとき、前記バッファの出力における周期信号のデューティサイクルは45%から55%の間である、請求項1に記載のバッファ。
【請求項９】
前記バイアス印加段のP型金属酸化物半導体(PMOS)トランジスタおよびN型金属酸化物半導体(NMOS)トランジスタは、前記第1のインバータ段または前記第2のインバータ段のPMOSトランジスタおよびNMOSトランジスタと同じサイズを有する、請求項1に記載のバッファ。
【請求項１０】
前記バイアス印加段の前記出力ノードにおける電圧は、前記第1のインバータ段または第2のインバータ段におけるトランジスタに関するしきい値電圧の温度ドリフトまたは1つもしくは複数のプロセスばらつきの少なくとも一方を追跡するように構成される、請求項1に記載のバッファ。
【請求項１１】
前記バイアス印加段は、P型金属酸化物半導体(PMOS)トランジスタとN型金属酸化物半導体(NMOS)トランジスタとを備え、
前記バイアス印加段の前記出力ノードを形成するように前記PMOSトランジスタのドレインが前記NMOSトランジスタのドレインに接続され、
前記バイアス印加段の前記入力ノードを形成するように前記PMOSトランジスタのゲートが前記NMOSトランジスタのゲートに接続され、
前記バイアス印加段の前記入力ノードと前記出力ノードが互いに短絡させられる、
請求項1に記載のバッファ。
【請求項１２】
前記第1のインピーダンスおよび第2のインピーダンスは、等しい抵抗を有する2つの抵抗要素を備える、請求項1に記載のバッファ。
【請求項１３】
前記第1のインバータ段は、前記第2のインバータ段と同じ構成要素およびトポロジーを有する、請求項1に記載のバッファ。
【請求項１４】
バッファを使用して差動信号をバッファリングする方法であって、
前記バッファの第1のインバータ段の入力ノードを介して作動ペアの第1の補信号を受信するステップと、
前記バッファの第2のインバータ段の入力ノードを介して前記作動ペアの第2の補信号を受信するステップと、
前記第1のインバータ段または前記第2のインバータ段のレプリカであるバイアス印加段を使用して前記作動ペアのオフセット電圧をシフトするステップであって、前記バイアス印加段の出力ノードが前記バイアス印加段の入力ノードに接続される、ステップと、
前記作動ペアおよび前記シフトされたオフセット電圧に基づいて前記バッファの出力信号を生成するステップと
を含む、方法。
【請求項１５】
前記バッファ用の2つの電源レールを介して前記第1のインバータ段および前記第2のインバータ段において電力を受信するステップをさらに含み、前記シフトするステップは、前記作動ペアの前記オフセット電圧を前記2つの電源レールの中間のレベルにシフトするステップを含む、請求項14に記載の方法。